(57)【要約】  本発明は、１日のうちのエネルギーバランス偏差を自動的に決定するための方法に関する。本発明の１つの特徴は、個人に関連したエネルギーバランス偏差を自動的に決定するための方法にあり、この方法は、個人のエネルギー支出量、エネルギー摂取量に関係する情報を受信し、エネルギーバランス情報をディスプレイするようになっており、人が身に付けるか、携帯できるデバイスを設けるステップを備える。この方法は、個人のエネルギー支出量に関連する少なくとも１つの入力を受信するステップと、個人のエネルギー摂取量に関連する少なくとも１つの入力を受信するステップと、ある期間にわたるエネルギー支出量およびエネルギー摂取量に一部基づき、エネルギーバランス関数を計算するステップとを備え、この方法は、更に前記エネルギーバランス関数と比較するための少なくとも１つの限界を指定するステップと、前記エネルギーバランス関数および前記少なくとも１つの限界に対応する情報をディスプレイするステップとを備える。
2007501065.tif 000002
【特許請求の範囲】
【請求項１】
個人に関連したエネルギーバランス偏差を自動的に決定するための方法において、
個人のエネルギー支出量、エネルギー摂取量に関係する情報を受信し、エネルギーバランス情報をディスプレイするようになっており、人が身に付けるか、携帯できるデバイスを設けるステップと、
個人のエネルギー支出量に関連する少なくとも１つの入力を受信するステップと、
個人のエネルギー摂取量に関連する少なくとも１つの入力を受信するステップと、
ある期間にわたるエネルギー支出量およびエネルギー摂取量に一部基づき、エネルギーバランス関数を計算するステップと、
前記エネルギーバランス関数と比較するための少なくとも１つの限界を指定するステップと、
前記エネルギーバランス関数および前記少なくとも１つの限界に対応する情報をディスプレイするステップとを備えた、エネルギーバランス偏差を自動的に決定するための方法。
【請求項２】
個人のエネルギー支出量に関係する少なくとも１つの入力を受信するステップが、基礎エネルギー支出量および仕事に関係するエネルギー支出量を決定することを含む、請求項１記載の方法。
【請求項３】
前記基礎エネルギー支出量が個人の性別、体重および年齢のうちの少なくとも１つに少なくとも部分的に基づくものである、請求項２記載の方法。
【請求項４】
前記仕事に関係するエネルギー支出量が個人の体温、心拍数および移動速度のうちの少なくとも１つに少なくとも部分的に基づくものである、請求項２記載の方法。
【請求項５】
個人のエネルギー支出量に関連する少なくとも１つの入力が、マニュアルで入力される入力および自動的に測定される入力のうちの少なくとも１つを含む、請求項１記載の方法。
【請求項６】
個人のエネルギー摂取量に関連する入力を受信するステップが、個人によって消費される食品アイテムのマニュアル選択を含む、請求項１記載の方法。
【請求項７】
個人のエネルギー支出量に関連する入力を受信するステップが個人によって消費される食品アイテム用のカロリー値を決定することを含む、請求項１記載の方法。
【請求項８】
所定の期間にわたるエネルギー支出量およびエネルギー摂取量に一部基づき、エネルギーバランス関数を計算するステップが、瞬間的なエネルギーバランス関数を決定することを含む、請求項１記載の方法。
【請求項９】
所定の期間にわたるエネルギー支出量およびエネルギー摂取量に一部基づき、エネルギーバランス関数を計算するステップが、所定時間におけるエネルギーバランス関数を決定することを含む、請求項１記載の方法。
【請求項１０】
前記所定の時間が１分、１５分、６０分のうちの少なくとも１つを含む、請求項９記載の方法。
【請求項１１】
所定の期間にわたるエネルギー支出量およびエネルギー摂取量に一部基づき、エネルギーバランス関数を計算するステップが、個人に関連するエネルギー支出量とエネルギー摂取量との差を決定することを含む、請求項１記載の方法。
【請求項１２】
所定の期間にわたるエネルギー支出量およびエネルギー摂取量に一部基づき、エネルギーバランス関数を計算するステップが、個人に関連するエネルギー支出量とエネルギー摂取量との比を決定することを含む、請求項１記載の方法。
【請求項１３】
前記エネルギーバランス関数が超えるべきでない少なくとも１つの限界を指定するステップが、１つの限界を指定すること、および２つの限界を指定することのうちの少なくとも一方を含む、請求項１記載の方法。
【請求項１４】
前記エネルギーバランス関数が超えるべきでない少なくとも１つの限界を指定するステップが、高い限界を指定すること、および低い限界を指定することのうちの少なくとも一方を含む、請求項１記載の方法。
【請求項１５】
前記エネルギーバランス関数が超えるべきでない少なくとも１つの限界を指定するステップが、少なくとも１つの限界をマニュアルで指定すること、および少なくとも１つの限界を自動的に指定することのうちの少なくとも一方を含む、請求項１記載の方法。
【請求項１６】
前記エネルギーバランス関数が前記少なくとも１つの限界を超える時、その旨の通知を提供するステップを更に含む、請求項１記載の方法。
【請求項１７】
付加的なエネルギー摂取量により前記エネルギーバランス関数が超えられそうになる時、その旨の通知を提供するステップを更に含む、請求項１記載の方法。
【請求項１８】
エネルギーバランス関数情報に基づき、個人が更なるエネルギー摂取量を必要とする時、その旨の通知を提供するステップを更に含む、請求項１記載の方法。
【請求項１９】
エネルギー摂取量、エネルギー支出量、エネルギーバランス関数および限界に関する記憶情報をリモートプラットフォームにロードするステップを更に含む、請求項１記載の方法。
【請求項２０】
エネルギー摂取量、エネルギー支出量、エネルギーバランス関数および限界に関する記憶情報をリモートプラットフォームにロードする前記ステップが、情報をリモートプラットフォームから無線媒体を介して送信することを含む、請求項１９記載の方法。
【請求項２１】
エネルギー摂取量、エネルギー支出量、エネルギーバランス関数および限界に関する記憶情報をリモートプラットフォームにロードする前記ステップが、情報をリモートプラットフォームから物理的接続を介して送信することを含む、請求項１９記載の方法。
【請求項２２】
前記デバイスが個人のエネルギー支出量に関連する入力を可能にするようになっている、少なくとも１つのボタンと、個人のエネルギー摂取量に関連する入力を可能にするようになっている少なくとも１つのボタンとを備えた、請求項１記載の方法。
【請求項２３】
前記デバイスが個人のエネルギー支出量に関連する入力を可能にするようになっている少なくとも１つのトランスジューサと、個人のエネルギー摂取量に関連する入力を可能にするようになっている少なくとも１つのトランスジューサとを備えた、請求項１記載の方法。
【請求項２４】
個人が身に付けるか、携帯できる、個人に関連したエネルギーバランス偏差をモニタするための装置において、
個人のエネルギー支出量に関連する少なくとも１つの入力を受信し、
個人のエネルギー摂取量に関連する入力を受信するようになっている入力部品と、
所定期間にわたるエネルギー支出量およびエネルギー摂取量に一部基づき、エネルギーバランス関数を計算し、
前記エネルギーバランス関数によって超過されない、少なくとも１つの限界を指定し、
前記エネルギーバランス関数および前記少なくとも１つの限界に対応する情報をディスプレイするようになっているプロセッサとを備えた、エネルギーバランス偏差をモニタするための装置。
【請求項２５】
個人のエネルギー支出量に関連する少なくとも１つの入力を受信する要素が、基礎エネルギー支出量および仕事に関係するエネルギー支出量を決定する、請求項２４記載の装置。
【請求項２６】
前記基礎エネルギー支出量が個人の性別、体重および年齢のうちの少なくとも１つに少なくとも部分的に基づくものである、請求項２５記載の装置。
【請求項２７】
前記仕事に関係するエネルギー支出量が個人の体温、心拍数および移動速度のうちの少なくとも１つに少なくとも部分的に基づくものである、請求項２５記載の装置。
【請求項２８】
個人のエネルギー支出量に関連する少なくとも１つの入力が、マニュアルで入力される入力および自動的に測定される入力のうちの少なくとも１つを含む、請求項２４記載の装置。
【請求項２９】
個人のエネルギー摂取量に関連する入力を受信する要素が、個人によって消費される食品アイテムのマニュアル選択を受信する、請求項２４記載の装置。
【請求項３０】
個人のエネルギー支出量に関連する入力を受信する要素が個人によって消費される食品アイテム用のカロリー値を決定する、請求項２４記載の装置。
【請求項３１】
所定の期間にわたるエネルギー支出量およびエネルギー摂取量に一部基づき、エネルギーバランス関数を計算する要素が、瞬間的なエネルギーバランス関数を決定する、請求項２４記載の装置。
【請求項３２】
所定の期間にわたるエネルギー支出量およびエネルギー摂取量に一部基づき、エネルギーバランス関数を計算する要素が、所定時間におけるエネルギーバランス関数を決定する、請求項２４記載の装置。
【請求項３３】
前記所定の時間が１分、１５分、６０分のうちの少なくとも１つを含む、請求項３２記載の装置。
【請求項３４】
所定の期間にわたるエネルギー支出量およびエネルギー摂取量に一部基づき、エネルギーバランス関数を計算する要素、個人に関連するエネルギー支出量とエネルギー摂取量との差を決定することを含む、請求項２４記載の装置。
【請求項３５】
所定の期間にわたるエネルギー支出量およびエネルギー摂取量に一部基づき、エネルギーバランス関数を計算する要素が、個人に関連するエネルギー支出量とエネルギー摂取量との比を決定する、請求項２４記載の装置。
【請求項３６】
前記エネルギーバランス関数により超過されない少なくとも１つの限界を指定する要素が、１つの限界を指定すること、および２つの限界を指定することのうちの少なくとも一方を含む、請求項２４記載の装置。
【請求項３７】
前記エネルギーバランス関数により超過されない少なくとも１つの限界を指定する要素が、高い限界を指定すること、および低い限界を指定することのうちの少なくとも一方を含む、請求項２４記載の装置。
【請求項３８】
前記エネルギーバランス関数により超過されない少なくとも１つの限界を指定する要素が、少なくとも１つの限界をマニュアルで指定すること、および少なくとも１つの限界を自動的に指定することのうちの少なくとも一方を含む、請求項２４記載の装置。
【請求項３９】
前記エネルギーバランス関数が前記少なくとも１つの限界を超える時、その旨の通知をプロセッサが提供するようになっている、請求項２４記載の装置。
【請求項４０】
付加的なエネルギー摂取量により前記エネルギーバランス関数が超えられそうになる時、その旨の通知をプロセッサが提供するようになっている、請求項３９記載の装置。
【請求項４１】
エネルギーバランス関数情報に基づき、個人が更なるエネルギー摂取量を必要とする時、その旨の通知をプロセッサが提供するようになっている、請求項３９記載の装置。
【請求項４２】
エネルギー摂取量、エネルギー支出量、エネルギーバランス関数および限界に関する記憶情報をプロセッサがリモートプラットフォームにロードするようになっている、請求項３９記載の装置。
【請求項４３】
エネルギー摂取量、エネルギー支出量、エネルギーバランス関数および限界に関する記憶情報をリモートプラットフォームにロードする要素が、情報をリモートプラットフォームから無線媒体を介して送信する、請求項４２記載の装置。
【請求項４４】
エネルギー摂取量、エネルギー支出量、エネルギーバランス関数および限界に関する記憶情報をリモートプラットフォームにロードする要素が、情報をリモートプラットフォームから物理的接続を介して送信する、請求項４２記載の装置。
【請求項４５】
前記デバイスが個人のエネルギー支出量に関連する入力を可能にするようになっている、少なくとも１つのボタンと個人のエネルギー摂取量に関連する入力を可能にするようになっている少なくとも１つのボタンとを備えた、請求項２４記載の装置。
【請求項４６】
前記デバイスが個人のエネルギー支出量に関連する入力を可能にするようになっている少なくとも１つのトランスジューサと、個人のエネルギー摂取量に関連する入力を可能にするようになっている少なくとも１つのトランスジューサとを備えた、請求項２４記載の装置。
【請求項４７】
個人に関連するエネルギーバランス偏差を自動的に決定するためのプログラムコードを含むコンピュータで読み取り可能な媒体において、
個人が身に付けるか、または携帯できるデバイスを提供し、
個人のエネルギー支出量、エネルギー摂取量に関連する情報を読み出すと共に、エネルギーバランス情報をディスプレイし、
個人のエネルギー支出量に関連する少なくとも１つの入力を受信し、
個人のエネルギー摂取量に関連する少なくとも１つの入力を受信し、
所定の期間にわたるエネルギー支出量およびエネルギー摂取量に一部基づき、エネルギーバランス関数を計算し、
前記エネルギーバランス関数と比較するための少なくとも１つの限界を指定し、
前記エネルギーバランス関数および前記少なくとも１つの限界に対応する情報をディスプレイするようになっているプログラムコードを備えた、コンピュータで読み取り可能な媒体。
【請求項４８】
個人のエネルギー支出量に関係する少なくとも１つの入力を受信するようになっているプログラムコードが、基礎エネルギー支出量および仕事に関係するエネルギー支出量を決定するようになっている、請求項４７記載のコンピュータで読み取り可能な媒体。
【請求項４９】
前記基礎エネルギー支出量が個人の性別、体重および年齢のうちの少なくとも１つに少なくとも部分的に基づくものである、請求項４８記載のコンピュータで読み取り可能な媒体。
【請求項５０】
前記仕事に関係するエネルギー支出量が個人の体温、心拍数および移動速度のうちの少なくとも１つに少なくとも部分的に基づくものである、請求項４８記載のコンピュータで読み取り可能な媒体。
【請求項５１】
個人のエネルギー支出量に関連する少なくとも１つの入力が、マニュアルで入力される入力および自動的に測定される入力のうちの少なくとも１つを含む、請求項４７記載のコンピュータ読み取り可能な媒体。
【請求項５２】
個人のエネルギー摂取量に関連する入力を受信するようになっているプログラムコードが、個人によって消費される食品アイテムのマニュアル選択を含む、請求項４７記載のコンピュータで読み取り可能な媒体。
【請求項５３】
個人のエネルギー支出量に関連する入力を受信するようになっているプログラムコードが個人によって消費される食品アイテム用のカロリー値を決定するようになっているプログラムコードを含む、請求項４７記載のコンピュータで読み取り可能な媒体。
【請求項５４】
所定の期間にわたるエネルギー支出量およびエネルギー摂取量に一部基づき、エネルギーバランス関数を計算するようになっているプログラムコードが、瞬間的なエネルギーバランス関数を決定するようになっているプログラムコードを含む、請求項４７記載のコンピュータで読み取り可能な媒体。
【請求項５５】
所定の期間にわたるエネルギー支出量およびエネルギー摂取量に一部基づき、エネルギーバランス関数を計算するようになっているプログラムコードが、所定時間におけるエネルギーバランス関数を決定するようになっているプログラムコードを含む、請求項４７記載のコンピュータで読み取り可能な媒体。
【請求項５６】
前記所定の時間が１分、１５分、６０分のうちの少なくとも１つを含む、請求項５５記載のコンピュータで読み取り可能な媒体。
【請求項５７】
所定の期間にわたるエネルギー支出量およびエネルギー摂取量に一部基づき、エネルギーバランス関数を計算するようになっているプログラムコードが、個人に関連するエネルギー支出量とエネルギー摂取量との差を決定するようになっているプログラムコードを含む、請求項４７記載のコンピュータで読み取り可能な媒体。
【請求項５８】
所定の期間にわたるエネルギー支出量およびエネルギー摂取量に一部基づき、エネルギーバランス関数を計算するようになっているプログラムコードが、個人に関連するエネルギー支出量とエネルギー摂取量との比を決定するようになっているプログラムコードを含む、請求項４７記載のコンピュータで読み取り可能な媒体。
【請求項５９】
前記エネルギーバランス関数によって超過されない少なくとも１つの限界を指定するようになっているプログラムコードが、１つの限界を指定するようになっているプログラムコード、および２つの限界を指定するようになっているプログラムコードのうちの少なくとも一方を含む、請求項４７記載のコンピュータで読み取り可能な媒体。
【請求項６０】
前記エネルギーバランス関数によって超過されない少なくとも１つの限界を指定するようになっているプログラムコードが、高い限界を指定するようになっているプログラムコード、および低い限界を指定するようになっているプログラムコードのうちの少なくとも一方を含む、請求項４７記載のコンピュータで読み取り可能な媒体。
【請求項６１】
前記エネルギーバランス関数によって超過されない少なくとも１つの限界を指定するようになっているプログラムコードが、少なくとも１つの限界をマニュアルで指定するようになっているプログラムコード、および少なくとも１つの限界を自動的に指定するようになっているプログラムコードのうちの少なくとも一方を含む、請求項４７記載のコンピュータで読み取り可能な媒体。
【請求項６２】
前記エネルギーバランス関数が前記少なくとも１つの限界を超える時、その旨の通知を提供するようになっているプログラムコードを更に含む、請求項４７記載のコンピュータで読み取り可能な媒体。
【請求項６３】
付加的なエネルギー摂取量によって前記エネルギーバランス関数が超えられそうになる時、その旨の通知を提供するようになっているプログラムコードを更に含む、請求項４７記載のコンピュータで読み取り可能な媒体。
【請求項６４】
エネルギーバランス関数情報に基づき、個人が更なるエネルギー摂取量を必要とする時、その旨の通知を提供するようになっているプログラムコードを更に含む、請求項４７記載のコンピュータで読み取り可能な媒体。
【請求項６５】
エネルギー摂取量、エネルギー支出量、エネルギーバランス関数および限界に関する記憶情報をリモートプラットフォームにロードするようになっているプログラムコードを更に含む、請求項４７記載のコンピュータで読み取り可能な媒体。
【請求項６６】
エネルギー摂取量、エネルギー支出量、エネルギーバランス関数および限界に関する記憶情報をリモートプラットフォームにロードするようになっているプログラムコードが、情報をリモートプラットフォームから無線媒体を介して送信するようになっているプログラムコードを含む、請求項６５記載のコンピュータで読み取り可能な媒体。
【請求項６７】
エネルギー摂取量、エネルギー支出量、エネルギーバランス関数および限界に関する記憶情報をリモートプラットフォームにロードするようになっているプログラムコードが、情報をリモートプラットフォームから物理的接続を介して送信するようになっているプログラムコードを含む、請求項６５記載のコンピュータで読み取り可能な媒体。
【請求項６８】
前記デバイスが個人のエネルギー支出量に関連する入力を可能にするようになっている、少なくとも１つのボタンと個人のエネルギー摂取量に関連する入力を可能にするようになっている少なくとも１つのボタンとを備えた、請求項４７記載のコンピュータで読み取り可能な媒体。
【請求項６９】
前記デバイスが個人のエネルギー支出量に関連する入力を可能にするようになっている少なくとも１つのトランスジューサと、個人のエネルギー摂取量に関連する入力を可能にするようになっている少なくとも１つのトランスジューサとを備えた、請求項４７記載のコンピュータで読み取り可能な媒体。
【発明の詳細な説明】
【技術分野】
【０００１】
本発明は健康管理をモニタするための方法、システムおよびデバイスに関し、より詳細には、一日のうちのダイナミックなエネルギーバランス偏差をリアルタイムで常時モニタするようになっている出力を計算によって提供する健康管理デバイス、システムおよび方法に関する。
【背景技術】
【０００２】
米国およびその他の工業化された国々における肥満率は流行的比率に到達している。米国の人口の２０％以上が肥満であり、米国の人口の５５％以上が体重過剰であること（フルーガル外著、１９９８年；国立保健機関）が、疾病防疫センター（ＣＤＣ）によって現在推定されている。（図１参照）
【０００３】
図１および２に表示されるように、１９９１年から２０００年までの９年間に、肥満の人口が１５％を超えている（しかし２０％未満）米国の個々の州の広がりは、７州から２６州まで約４倍に増加した。更に心配される統計によれば、１９９５年に始まる５年間に、肥満を抱える人口が２０％を超える米国の州の数は、０から２３州、つまり約米国の約半分まで増加した。
【０００４】
肥満症の健康を害する急激な流行的広がりを更に示すために、米国ではアフリカ系アメリカ人およびメキシコ系アメリカ人の女性の約５０％は、肥満症を示す身体マスインデックス基準を満たしている（フォレイトおよびポストン、１９９８年）。身体マスインデックス（ＢＭＩ）とは、人体における脂肪と筋肉マスの相対的パーセントの測定値であり、体重を身長で割った値であり、この結果は肥満の指標として使用される。例えばＢＭＩは次の式を使って決定できる。すなわちＢＭＩ＝［ポンド表示の体重／［（インチ表示の身長）＊（インチ表示の身長）］］×７０３。別の例では、ＢＭＩは次の式を使って決定できる。ＢＭＩ＝［キログラム表示の体重／［（メートル表示の身長）＊（メートル表示の身長）］］。ＮＩＨおよびＣＤＣは相対的な人口の一部における過剰体重および肥満症の率の増加を評価するためにこの指標を使用している。広く受け入れられている基準によれば、「正常な体重」とは１８.５〜２４.９のＢＭＩと定義され、「過剰体重」とは２５〜２９.９のＢＭＩと定義され、「肥満症」とは３０以上のＢＭＩと定義される。
【０００５】
肥満症の率は性別に固有のものではない。１９８８年〜１９９４年のＮＨＡＮＥＳの研究によれば、女性の２７％、男性の２２％が肥満症であることが判った。この研究により、男性女性にかかわらず、またすべての社会経済的クラスにおいて、肥満症の率が増加していることが容易に判る。事態をより深刻にしているのは、過剰体重の人は体重をより少なく報告し、身長をより高く報告する傾向があるので、ほとんどの人口調査で、米国における実際の肥満症の率は低く推定されやすいことである。
【０００６】
更に肥満症が増加する傾向は、米国内の集団の一部だけに限定されるものではない。肥満症の率は、非ヒスパニック系白人では２４.２％であり、非ヒスパニックのアフリカ系では３０.９％であり、アジア人では２０.６％であり、ヒスパニック系では３０.４％である。米国で生まれたアジア人アメリカ人およびヒスパニック系青年は、一世の住民よりも肥満症になる確率が２倍以上である（ポプキンおよびアドリー、１９９８年）。都市中心部住民は肥満症を発症するリスクが特に高いようである。セントルイス市およびカンサス市の市内住民のクロスセクション調査では、アフリカ系アメリカ人のうちの４４％が肥満症であり、肥満症のうちの多く（６６％）が体重を減らそうと試みているが成功していない（アーフケンおよびヒューストン、１９９６年）。肥満症は明らかに流行的比率に到達しており、米国では予防できる死に至らしめる（喫煙の次の）第２の主な原因となっている。体重過剰または肥満症の個人は、高血圧、心臓動脈疾患、所定のガン、２型の糖尿病その他の病気が発症するリスクが高い。
【０００７】
肥満症が増加する傾向が米国の人口のうちの所定のグループだけに限られていないのと同じように、米国における肥満症の急激な増加は成人だけに限られるものではない。米国における子どもの約２５％が体重過剰であり、小児肥満のケースのうちの３０％が成人の肥満症となっている（リーツ、１９９３年）。子どもの肥満症の広がりは、１９９１年における１２％から１９９８年の１８％にまで達した。これら増加は男女双方、およびすべての社会経済的クラスに見られた（モックダード他、１９９９年）。肥満症を防止するために子どもをターゲットとする公衆健康プログラムが重要であることは疑いない（ブルンネル他、１９９８年）。小児肥満率に関する懸念は、米国の保健およびヒューマンサービス局の前長官であるドナ・Ｅ・シャララ氏が、幼児における早期の体重の問題を示したＢＭＩの評価を含む新しいＣＤＣの小児成長チャートの公表を表明した（２０００年６月）という点で、国の優先度で大きな注目を集めている。小児肥満症の防止が成功するかどうかは、正しい摂食および文化的に適当な運動を促進し、家庭、学校およびコミュニティに効果的に組み込むことができる教育プログラムを実行できるかどうかにかかっている（ゴラン他、１９９９年）。
【０００８】
米国における遺伝子プールは過去数十年の間、大きな変化はなく、この間、肥満症の率は劇的に増加した（ボーチャードおよびペルーセ、１９９３年）。従って、エネルギー消費量が過剰かまたはエネルギー支出量が少ないことの結果生じ得るエネルギーバランスの変化は、肥満症に対する遺伝子的に肥満症にかかりやすいことよりも、肥満症の率の急激な上昇の主な原因と密接な関係にある（ベナルドおよびトンプソン、１９９９年；ヒルおよびピーター、１９９８年；ジェブ、１９９９年）。この結果、低カロリーダイエットからエネルギー基質（すなわち多くのタンパク質と少ない炭水化物、または少ない脂肪と多くの炭水化物）を摂取するという変更まで、無数のダイエット方法が試みられたが、体重を減らす上での成功度はまちまちである。物理学的な活動の試行によれば、運動は体重管理および維持にとっれ臨界的に重要な要素であることも実証された。しかしながら、まさに有効な体重管理の、利用できる多数の方法の最良の意図にもかかわらず、利用できるダイエット方法のいずれも、米国における肥満症の忍び寄る増加をくい止めるという国家目標を達成することに成功していない。
【０００９】
過去の研究から、エネルギーバランス方程式の消費成分および支出成分の双方を同時に変更すると、最も確実に肥満症を低減できる結果が得られるという明らかな兆候がある（ＡＣＳＭ、１９９８年）。しかしながらこれら肥満症管理の成功にもかかわらず、肥満症の率は上昇し続けている。エネルギーバランスを等しくする方法が不正確であるという可能性があり、（一日または週を単位として計算されるエネルギーバランスに反し）一日のうちのエネルギーバランスのより完全な検査が糖尿病の発症に対する重要な見通しを与え得るということを示唆する初期データがある（ベナルド、１９９６年；デューツ他、２０００年）。肥満症が急激に上昇した同じ２０年の期間の間、心臓血管疾病による死亡率は低下したので、頻繁に提案された摂取脂肪の低減は、心臓血管疾患のリスクを低減した際に与えたのと同じようには、体重に対する有益な効果を与えていないようである。実際に消費される脂肪のタイプ（すなわちトランス脂肪酸対オレイン脂肪酸）は肥満管理において、摂取における総脂肪の比率よりも重要であるという、ある証拠が存在する。
【００１０】
正しいダイエットの変更および運動を組み合わせたライフスタイルに従う集団では、肥満率をカットできる傾向があるが、適当なダイエットおよび運動の変更を困難にさせるような多くの環境的（すなわち構造的）障害が存在することは明らかである（キルク、１９９９）。適当なダイエットの変更に対するかかる環境上の障害として、米国における社会的に圧倒的に行われている１日３回の食事をとるというパターンが挙げられる。
【００１１】
頻繁に摂食しないというパターンが肥満症の率に寄与しているということを示唆する証拠が増えつつある。このような頻繁に摂食しないというパターンは、血中グルコースを正常な範囲（８０〜１２０ｍｇ／ｄｌ）に維持することができず、少ない除脂肪マスの分解代謝、代謝率の低下、高インシュリン分泌および消費した食料からのより多い脂肪の蓄積を生じさせる。実際に、一般的なダイエットパラダイムは、人が食事をせず、エネルギーの不足を強化し、ダイエットの目標に反するような結果を生じさせることが多い。研究によれば、多量のものを少ない回数で食べるより、より少ないものをより多くの回数で食べるほうが、体重を減らす上でより効果的であることが更に判った。前者の、多量のものを少ない回数食べるというパターンは、米国において確立されている１日３回の食事をとるというパターンではほとんど不可避である。
【００１２】
運動家固有の別の研究によれば、運動家のコミュニティの多くの部分はエネルギー摂取を遅くに行う傾向があることが判った。すなわち１日の終わりにおけるカロリーの消費は極端に高いが、１日のうちの早期におけるエネルギーの摂取はハイレベルの身体的活動に関連するエネルギー要件を満たすのに不適当である。このようなやり方は、運動家が１日の終わりにおいてエネルギーバランスを達成することに役立つが、このような摂取行動は最適な身体組成および運動能力の発揮を達成することに問題を生じさせることが実証されている。運動家で生じる１日のうちのエネルギーの不足は次のようなことで明らかになる。
・トレーニングの結果がよくないこと
・現在の脂肪の少ない（すなわち筋肉質の）身体を運動家が維持することがより困難になること
・身体の脂肪の蓄積量が増えること
・（脂肪の少ない身体が減少することに関連する）代謝率が低下すること
・体重を増やすことなく運動家が正常に食べる能力が減少する（すなわち代謝率が低くなることによって、カロリーが燃焼する率が減少し、それにより、体重を増やすことなく運動家が従来の摂食パターンを維持することが困難となる）こと
・（筋肉を動かすための、利用できるエネルギーが少なくなるので）運動能力の発揮が低下すること
・ケガをするリスクが増えること（エネルギーの不足は筋肉の疲労に関連し、集中能力が低下し、そのいずれもケガをするリスクが増加することに関連している）
・ストレスホルモンの循環が多くなること（１日のうちのエネルギーの不足は血中血糖濃度を低くし、このことはストレスホルモンであるコルチゾンの循環に逆に関連している）
コルチゾンレベルが高いことは骨組織の分解代謝（破壊）および女性におけるエストロゲンの循環が低下することに関連する。エストロゲンが少なく、コルチゾンが多いことの一般的な結果、骨密度が低下し、応力破壊のリスクが増す。
【００１３】
肥満症を少なくしたいというニーズが存在するが、現在、エネルギー支出量を予測するための生理学的および生物機構的値をモニタすることにより、カロリー支出量およびカロリー摂取量を同時にマージし、評価すると共に、ユーザーに対し、１日のうちのエネルギーバランス偏差を常時リアルタイムでモニタする、利用できるデバイス、システムまたは方法は現在存在しない。
【００１４】
米国における肥満症の統計値が証明するように、個人が積極的に自らの体重を管理し、健康な身体の組成を維持する手段を提供するのに、これまでの努力およびデバイスは効果的ではなかった。本発明の種々の実施例に係わるデバイス、システムおよび方法のニーズは、米国における肥満症の健康状態の広がりを抑制する有効な手段を提供する上でより重要となった。
【００１５】
２０１０年までの米国の健康目標の１つが肥満症の広がりを１５％未満に減らすことであると仮定した場合、ユーザーが１日のエネルギーバランス偏差を常時モニタし、よってユーザーが１日のうちに特定の望ましいエネルギーバランスレンジ内に留まることができるようにすることにより、健康な身体の組成を維持することを補助できる、有効で、かつ革新的なデバイス、システムおよび方法に関するニーズが存在している。
【発明の開示】
【課題を解決するための手段】
【００１６】
本発明の実施例は上記ニーズの一部またはすべてを提供できる。本発明の１つの特徴は、個人のエネルギー支出量、エネルギー摂取量に関連した情報を受信し、エネルギーバランス情報をディスプレイするようになっている、個人が身に付けるかまたは携帯できるデバイスを提供するステップを含む、個人に関連したエネルギーバランス偏差を自動的に決定する方法を提供することにある。この方法は、個人のエネルギー支出量に関連した少なくとも１つの入力を受信するステップと、個人のエネルギー摂取量に関連した少なくとも１つの入力を受信するステップと、ある期間にわたるエネルギー支出量およびエネルギー摂取量に一部基づくエネルギーバランス関数を計算することも含む。更にこの方法は、前記エネルギーバランス関数と比較するための少なくとも１つの限界を指定するステップと、前記エネルギーバランス関数および前記少なくとも１つの限界に対応する情報をディスプレイするステップを含む。
【００１７】
本発明の別の特徴は、個人が身に付けるかまたは携帯できる、個人に関連したエネルギーバランス偏差をモニタするためのデバイスにある。このデバイスは、個人のエネルギー支出量に関連する少なくとも１つの入力を受信し、個人のエネルギー摂取量に関連する入力を受信するようになっている入力部品を含むことができる。更にこのデバイスは、所定の時間にわたるエネルギー支出量およびエネルギー摂取量に一部基づき、エネルギーバランス関数を計算し、前記エネルギーバランス関数が超えるべきでない少なくとも１つの限界を指定し、前記エネルギーバランス関数および前記少なくとも１つの限界に対応する情報をディスプレイするようになっているプロセッサも含むことができる。
【００１８】
本発明の別の特徴は、個人に関連するエネルギーバランス偏差を自動的に決定するようになっているプログラムコードを含むコンピュータで読み取り可能な媒体にある。このコンピュータで読み取り可能な媒体は個人のエネルギー支出量、エネルギー摂取量に関連する情報を受信し、エネルギー媒体情報をディスプレイするよう、個人が着用または携帯できるデバイスを提供するようになっているプログラムコードを含むことができる。更にこのコンピュータで読み取り可能な媒体は、個人のエネルギー支出量に関連する少なくとも１つの入力を受信し、個人のエネルギー摂取量に関連する少なくとも１つの入力を受信し、所定の時間にわたるエネルギー支出量およびエネルギー摂取量に一部基づき、エネルギーバランス関数を計算するようになっているプログラムコードを含むことができる。更にコンピュータで読み取り可能な媒体は、前記エネルギー媒体関数と比較するために少なくとも１つの限界を指定し、前記エネルギーバランス関数および前記少なくとも１つの限界に対応する情報をディスプレイするようになっているプログラムコードを含むことができる。
【００１９】
これら実施例は本発明を制限したり、定義するものではなく、本発明の理解を容易にするために例として示すためのものである。次の詳細な説明において、実施例について説明し、更に本発明を詳細に説明する。
【００２０】
本発明の種々の実施例にかかわる種々のシステムおよび方法の目的、特徴および利点は次のとおりである。
（１）エネルギー支出量を予測するための生理学的および生物機構的値をモニタすることにより、カロリー支出量およびカロリー摂取量を同時にマージし、評価し、１日のうちのエネルギーバランス偏差のリアルタイムの常時モニタをユーザーに提供するのに利用できるデバイス、システムおよび方法。
（２）１日のうちのエネルギーバランス偏差を常時モニタすることにより、ユーザーが健康な身体組成を維持するのを助け、よってユーザーが１日の間の特定の望ましいエネルギーバランスレンジ内に留まることができるようにするデバイス、システムおよび方法。
（３）個人に関連するエネルギーバランス偏差を自動的に決定するためのデバイス、システムおよび方法。
（４）個人が身に付けるか、または携帯できる、個人に関連したエネルギーバランスをモニタするためのデバイス、システムおよび方法。
【００２１】
本明細書の残りの部分を参照すれば、上記以外の目的、特徴および利点が明らかとなろう。
【実施例】
【００２２】
特に上記問題の一部またはすべては、本明細書に記載する発明の種々の実施例により解決できる。次の定義、用語および関連するプロセスにより、またはこれらと共に、本発明の種々の実施例について説明できる。
【００２３】
エネルギー（カロリー）支出量の決定
エネルギー支出量（すなわち所定の時間にわたって被験者によって消費されるカロリー量）とは、基礎エネルギー支出量または休息時エネルギー支出量、（熱損失、ダイエットの特定のダイナミック作用［ＳＤＡ］、および医薬のような他のファクターから生じる）サーモゲネシス（生理作用による熱の発生）および休息状態を超えるすべての身体的仕事の概要値である。食品のＳＤＡは消費した食品からエネルギーを抽出するのに必要なエネルギーを示す。ＳＤＡの一例として、９０カロリーが得られるフルーツの一部からエネルギーを抽出するのに２０カロリーが必要であると仮定した場合、フルーツを消費するＳＤＡは２０カロリーとなる。ＳＤＡのこのような現象は、寒い冬の日に暖炉に点火するプロセスと容易に類似できる。音をたてている火のような、より大量のエネルギーを抽出するには、火の付いたマッチのようなエネルギーを追加しなければならない。基本または休息時代謝率とは、全エネルギー支出量のうちの７０％までの値となるエネルギー条件の主な成分であり、サーモジェネシスは全エネルギー支出量のうちの約１５％の値であり、身体的活動も全エネルギー支出量のうちの約１５％のカウントとなる。
【００２４】
基礎エネルギー支出量または休息時エネルギー支出量を予測する手段の一例として、消費酸素および発生した二酸化炭素を評価する間接的なカロリー測定法が挙げられる。しかしながら、性別、体重および年齢から基礎、すなわち休息時エネルギー支出量を予測するための良好に確立された回帰方程式も存在する（図３参照）。
【００２５】
これら３つのファクター（休息時代謝率、サーモジェネシスおよび身体的活動）のうち、身体的活動量だけが大きく変化し得る。身体的活動量が変化する結果、エネルギー条件は非運動家の集団では、全エネルギー要求量のうちのわずか５％、または全エネルギー条件のうちの３０％となる（図４参照）（ラブサン他、１９８６年）。身体的活動の変化は余分な消費されたエネルギーを燃やし、細身の体組成を保つことに役立つが、消費される過剰エネルギーが存在する場合に、身体的活動量を増すことができない場合、その結果、脂肪の蓄積が増すことになる（レビン他、１９９９年）。従って、身体的活動量の変化がエネルギーバランスを達成する上で重要である（シェーラー、２００１年）。
【００２６】
本発明の所定の実施例に係わるデバイス、システムおよび方法は、間接カロリー測定評価法および／または性別、身長、体重および年齢を入力することによって誘導された基礎または休息時エネルギー支出量の値を入力するためのオプションを提供するものである。異なる時間の異なるタイプの身体的仕事に対して必要なエネルギーの計算は、ＭＥＴ表（すなわち運動の強さが異なる活動の休息時エネルギー支出量を超える代謝または部分単位を提供する表）に基づくか、または体温、心拍率または垂直および水平運動速度を組み込む回帰方程式から計算できる。本発明の所定の実施例に係わるデバイス、システムおよび方法は、身体的活動のカロリーコストを予測するよう、体温、心拍率および運動速度をモニタする現在の有効にされた技術も使用できる。従って、本発明の種々の実施例に係わるデバイス、システムおよび方法はエネルギー支出量を予測するのに次の計算式の一部またはすべて、および／またはそれ以外の計算式を実行できる（図５参照）。
【００２７】
図５に示される例では、７０ｋｇ（１５４ポンド）の男性の予測カロリー必要量は座って静かにしている日では２４０６カロリーであり、かなり活発な日では３９３８カロリーであった。カロリー必要量は５つのかつ同レベル（休息時、極めて軽い活動度）などのうちの各々における時間数を加算し、休息時エネルギー支出量に活動ファクターを適用することにより推定した。女性の場合のカロリー必要量を予測するのにも同じ手順を使用した。
【００２８】
エネルギー（カロリー）摂取量の決定
エネルギー摂取量は他の方法のうちでも所定の時間にわたって消費される食料の特定量およびタイプから予測できる。食品の栄養物およびカロリー含有量のベースは、米国農務省（ＵＳＤＡ）が提供している自由に利用できるコンピュータ化されたデータベースを使って決定できる。これらデータベースのうち、最もポピュラーなデータベースであるＵＳＤＡハンドブック８−食品の栄養組成は、定期的に更新されており、その更新されたデータベースはＵＳＤＡのウェブサイトを通して利用可能となっている。その他のソースおよび／または別のソースも利用できる。栄養物およびカロリー摂取量と、確立された摂取基準（すなわち食品ガイドピラミッド、推奨されるダイエット許容量など）と比較する目的で、このデータベースの容易なアクセスを促進するソフトウェアパッケージを、種々のコンピュータソフトウェアプロバイダが提供している。分析の目標に応じ、これらデータベースはカロリー摂取量を推定するのに必要な情報量の一部、すべて、またはそれ以上のものを提供できる。
【００２９】
本発明の所定の実施例に係わるデバイス、システムおよび方法は、デバイス、システムまたは方法の意図する用途に応じ、カロリー摂取量を予測するための任意の適当な方法を使用する。本発明の所定の実施例に係わるデバイス、システムおよび方法のための潜在的な用途およびマーケットとして、体重が減る全集団（および肥満に関連する条件、例えば糖尿病を有する集団）；最適な体組成を得ることに関心のある運動家；働きまたは代謝研究に関係する研究者、および健康の専門家を挙げることができる。かかるデバイス、システムまたは方法の多くまたはすべては、上記方法を通してエネルギー支出を計算できるが、これらは例えば食品摂取モーダリティの特殊性、追跡できる活動のタイプおよびその他ユーザーもしくはグループ固有の特性により変わり得る。かかるデバイス、システムおよび方法は、メモリモジュール内のかかる特殊なデータおよび／またはプログラム、もしくは種々のユーザー、グループおよび／またはマーケットのためにメモリモジュール内に挿入もしくは入力できるファイルを含むことができる。
【００３０】
１日のうちのエネルギーバランスの決定
エネルギーバランスは２４時間にわたるか、または２４時間の何倍かにわたるエネルギー摂取量とエネルギー支出量の比として記述できる。一例として、ある一人の個人のカロリー摂取量がカロリー支出量を超えた場合、エネルギーバランスは正となり、カロリー摂取量がこの時間中のカロリー支出量を下回った場合、エネルギーバランスは負となる。このようなエネルギーの熱力学の原則（図６参照）は明瞭に確立されており、エネルギーバランスが正となれば体重が増え、エネルギーバランスが負となれば体重は減ることになるということが認められている。
【００３１】
２４時間にわたってエネルギーバランスを見る従来の方法は、１日の間に生じるエネルギーバランス偏差を考慮していない。ベナルド外によって行われ、科学的文献で発表された研究により、エネルギーバランスの１日のうちの偏差は体組成に強力な影響を与えることが実証された。従って、本発明の所定の実施例に係わるデバイス、システムおよび方法はエネルギーバランスの１日のうちの偏差を、好ましくは常時モニタでき、ユーザーがあらかじめ定めたエネルギーバランスの限度内に留まることを補助するようにユーザーに情報を提供できる。
【００３２】
研究によれば、１日のうちに所定のエネルギーバランスの限度内に留まると、その結果、細身の体を保持でき、代謝率を保持し、脂肪マスを低下させ、栄養の摂取を改善できる（図７の摂食パターン１を参照）。図７は摂食パターンの３つの例を示しており、これらパターンのいずれも、結果的に１日の終わりにエネルギーバランスのとれた状態となる。この図は、人がエネルギーバランスを達成できる方法には多数の異なる方法があり、各方法の結果、体組成および働きの結果が異なることになり得る。例えば摂食パターン１は２４時間にわたって食料を６回に分けてとった人（６つの垂直ピーク）を示し、１日の間のパーフェクトなエネルギーバランスからの偏差（すなわちゼロ｛０｝からの偏差）は比較的少ない。このような摂食をすると、必要なカロリーをとるのに１回で多量の食料を食べる必要がなくなり、同時に大きなエネルギー不足を回避できる。次に、摂食パターン２は、代表的な１日に３回食事をとる摂食パターンを示し、このパターンでは必要なカロリーをとるのに各食事で多量の食料を消費しなければならない。このような摂食パターンにより、大きなエネルギーの過剰が生じ、このことは脂肪の蓄積を促進する。摂食パターン３は、運動家によく見られる摂食行動を示す。この場合、１日の多くがエネルギー不足状態にある（エネルギー支出量が摂取量を大幅に超える）が、１日の終わりにエネルギーバランスをとるため、多量の食事をとる。これら３つの摂食パターンの各々はいずれも、１日の終わりにエネルギーバランスを達成するが、データは明らかに１日の間に生じる不足および過剰の大きさは、人がどのように見たり感じたりするかにも大きな影響を与える。１日の間のエネルギーの過度な過剰または不足は、肥満症（更にすべての関連する疾病の余病、例えば糖尿病）のリスクを高め、運動能力を低下させ、ケガのリスクを高め、集中力を低下させる。簡単に説明すれば、所望する体組成を達成し、肥満の広がりを最小にするために、１日のうちのエネルギーバランスを維持する重要性を強化する根拠は多数ある。
【００３３】
本発明の所定の特徴に従い、エネルギー摂取量およびエネルギー支出量を常時モニタすることによって、リアルタイムで、例えば１日のうちで分ごとにエネルギーバランス比を検出することが可能となり、よってこの比を効率的に比較し、エネルギー過剰および不足パラメータをプリセットすることが可能となる。図７に記載された摂食パターンによれば、本発明の所定の実施例に係わるデバイス、システムおよび方法は、ゼロから離れるエネルギーバランスの偏差値の大きさをモニタするのに、ゼロをベースとするシステム（ゼロはパーフェクトなエネルギーバランスである）を使用することが好ましい。
【００３４】
本発明の所定の実施例に係わるデバイス、システムおよびプロセスは、１日のうちのエネルギー過剰量またはエネルギー不足量がプリセットした目標に対する設定した限度を越えたときに一連のブザー音および／または振動を通してユーザーにこのことを通知できる。これらアラームは、例えば食べたり、摂食を停止することをユーザーにアドバイスできる。更に、所定の実施例はエネルギーバランス限度内に留まるために何を食べるかに関してサジェストできる。
【００３５】
本発明の所定の特徴に対して可能な多くの用途の一例として、ユーザーは朝のウォーキングの直後に本発明の特徴に係わるデバイスをストラップにつけてぶら下げることにより、１日の測定を開始できる。このデバイスは、ユーザーが満腹感を感じるまで単に食べるのではなく、実際のエネルギーの必要量に従って朝食の一部をユーザーが変えることができるよう、ユーザーにそのときのエネルギーバランスの読み取り値を与える。朝、作業をしたり運動をするユーザーにとって、このようなユーザーの初期エネルギーのバランスを朝読み取ることは特に重要である。従って、本発明の所定の特徴に係わるデバイス、システムおよび方法により、ユーザーは筋肉マスを失わせやすい（図７の摂食パターン３によって示されるような）エネルギーバランスの不足をユーザーが回避できる。
【００３６】
ユーザーが忙しい仕事日を過ごすにつれ、ユーザーは任意の所定の時間に１日のうちのエネルギーバランスを努力なしにモニタできる。エネルギーバランスを瞬間的にモニタできることにより、ユーザーはオフィスの休憩室で過度に多くのドーナツやコーヒーを消費することを回避できる。ユーザーにはプリセットしたエネルギー限度を超過したことを、一連の振動またはブザー音によって慎重に通知できるからである。昼食時には、ユーザーは何を食べるべきかに関して無目的に決めなくてもよくなる。メニューを流し読みしている間、ユーザーはそのときのエネルギーバランスを単にチェックし、デバイス上のあらかじめプログラムした食品のタイプの入力部分を押すだけで、必要カロリー摂取量を越えない食品（およびその量）を決定できる。同様に、仕事日のおわりが近づくにつれ、１日のうちのエネルギーバランスをモニタできるデバイスの能力によって、ユーザーは自分のエネルギーの必要量を満たすのに真に午後遅くのスナックを必要としているかどうかを判断できる。
【００３７】
一旦家に戻ると、ユーザーはベッドに行くまでデバイスを身に付け続けることができる。ベッドに入る直前にユーザーはデバイスを外し、デバイスを対応する再充電クレイドルに入れることができ、クレイドルはデバイス、例えばパソコンもしくはグラフィック出力も発生できるその他のデバイス内のプログラムと、１日の増分的なエネルギー不足量と過剰量とを（無線または有線リンクを介し）自動的に同期化させることもできる。このグラフィック出力は自動的にプリントできるので、翌朝起きたときに、ユーザーは前の日の自分のエネルギーバランスパターンを検討することができ、従って、自分の個人的な食料摂取習慣をよりよく知ることができる。従って、このデバイスにより、エネルギー要件に基づいてユーザーのカロリー消費量を正確に管理でき、更に体組成、究極的には体重の管理を改善できる。
【００３８】
従って、本発明に係わる所定の実施例に係わるデバイス、システムおよび方法は、ダイナミックなエネルギーバランスをリアルタイムで入手し、および／またはトラッキングできる、統合機能に現在の技術をユニークに合体させることにより、エネルギー支出量およびエネルギー摂取量を予測するよう、現在の技術を改善できる。更に、これらデバイス、システムおよび方法の一部またはすべては１日のうちのエネルギーバランスを常時モニタし、プリセットしたエネルギーバランスの限度（すなわち過度のエネルギー過剰または不足）を超えることをユーザーに警告できる。かかるデバイス、システムおよび方法の主たる目的は、進行中のエネルギー支出のダイナミックスを満足するよう、消費されているカロリーが過度に多いか、または少ないことをユーザーが理解するのを助けることにある。研究によれば、１日のうちのパーフェクトなエネルギーバランスにほぼ近い、狭く定められたカロリーバッファ内に留まることは、体脂肪のレベルを減少させることに役立つことが実証された。運動家にとって１日のうちのエネルギーバランスを保つことは、運動の働きを改善することも証明されている。研究によれば、１日の間の過度のカロリーの過剰または不足は、体脂肪レベル高くなることに関連しており、このことは運動家によって運動パフォーマンスが悪くなることにも関係し得ることも実証されている。このことは、１日の終了時のエネルギーバランスがある場合でも判っている。本発明の所定の実施例に係わるデバイス、システムおよび方法は、過度のカロリーの過剰または不足をユーザーが回避するのを助けることができ、よってユーザーが所望する最適な体組成および／またはパフォーマンス目標を達成するのを補助する。
【００３９】
次に、図を参照するが、これら図のいくつかにわたり、同様な番号が同様な要素を示す。次の説明は、図８（Ａ）〜８（Ｂ）に示されたデバイス８００のような装置に関するものである。このデバイス８００は本発明に係わるデバイス、システムおよび方法のすべての１つの特定の表示または実施例にすぎない。従って、このデバイス８００およびこの説明は本発明の範囲を限定するものではない。これに関連し、図８（Ａ）および８（Ｂ）に示されたデバイスは、調節自在がストラップ８０２により、人の手首に着用できる器具の形態をしたコンパクトな内蔵デバイスとすることができ、このストラップ８０２により、デバイス８００は腕時計のストラップのように人の手首または腕に固定できる。
【００４０】
デバイス８００はボタン８０４の形態をしたユーザー入力ィンターフェースを特徴とし、これらボタンにより、ユーザーが摂取した食品中のカロリー数に関するデータをユーザーがデバイス８００に提供できるようにする。ユーザー入力インターフェースは任意の数のデータ入力ボタン、例えば８０４、タッチスクリーン、スクロールデバイスまたはデバイスに情報を入力するための任意の適当な他のコンパクト手段を含むことができる。
【００４１】
エネルギーバランスモニタデバイスの機能を制御するための少なくとも１つの制御装置、例えばボタン８０４が設けられている。種々の機能はデータ入力ボタン８０４を介し、ユーザーから入力されたデータを利用できる。データスクリーン８０６のようなディスプレイデバイスは１つ以上の機能および／またはユーザーから入力されたデータに関連した出力をディスプレイできる。
【００４２】
デバイス８００はユーザーまたは被験者のエネルギーバランス、およびカロリー消費量および支出量を便利かつ連続的にモニタできるように、日々の活動中にユーザーまたは被験者が身に付けることができるようになっている。このエネルギーバランスモニタデバイス８００は、有線接続、例えばコンピュータポート８０８または通信を行うための無線手段、例えば赤外線、高周波通信を行うための無線手段により、ローカルのコンピュータと通信する能力を有することが好ましい。例えばエネルギーバランスモニタデバイス８００の腕時計のような実施例は、コンピュータポート８０８を介し、コンピュータと本デバイスを配線で相互接続するか、またはエネルギーバランスモニタデバイスをコンピュータまたはパーソナルデジタルアシスタンス（ＰＤＡ）に関連した通信クレイドルにドッキングすることにより、ローカルコンピュータと通信できる。このデバイスは更にブルトゥース規格Ｗｉ−Ｆｉまたはその他の所望するハードもしくは無線インターフェースを使って通信することもできる。同様に、デバイス８００からの情報はウェブを通し、ウェブサイトに伝送でき、このウェブサイトはユーザーのエネルギーバランスおよびダイエットをモニタする際にユーザーを助けることができるサービスによって提供される。
【００４３】
デバイス８００は体温または心拍数をモニタするための１つ以上のセンサ、例えば体温センサ８１０および心拍数センサ８１２を特徴とする。このデバイス８００は１つ以上のマイクロ電子運動センサ、例えばユーザーが着用中のデバイス８００の運動をモニタできるジャイロも含むことができる。
【００４４】
デバイス８００はマイクロプロセッサも含むことができ、このマイクロプロセッサはデバイス８００によって供給できるか、またはインターネットからロードまたはアップグレードできるか、もしくは上記のような通信リンクを使って所望するようにロードもしくはアップグレードされる、関連するソフトウェアが命令するように作動できる。プロセッサはマイクロプロセッサ、好ましくはコンパクトで、かつ電力消費量が極めて少ないタイプのマイクロプロセッサを含むことができる。このデバイスはマイクロプロセッサおよび／またはデバイス８００の他の部品に電量を供給するための、充電可能なバッテリー８１４を含むことができる。例えばプロセッサ用に電子腕時計で使用されているような種々のプロセッサを使用できる。このマイクロプロセッサは、種々のユーザー入力、例えばダウンロード可能なデータベースから抽出されたカロリー消費情報および食料含有量情報を記憶できる。このマイクロプロセッサは１日のうちの、および１日の終了時のエネルギーバランスを計算するよう、体温センサ８１０、心拍数センサ８１２が収集したインクリメント情報および食品摂取量も抽出できる。
【００４５】
一実施例では、マイクロプロセッサは可視表示を発生し、ユーザーの真のカロリー消費量、すなわち支出量がデバイス８００のメモリに記憶された、プリセットされた１日のうちのエネルギーバランス限度を超えたときに、可聴アラームを発生させることができる。別の実施例では、マイクロプロセッサはユーザーの真のカロリー消費量すなわち支出量がデバイス８００のメモリ内に記憶されたプリセットされた１日のうちのエネルギーバランス限度を超えたときに、表示を生じさせることもできる。この表示として、可視信号、触覚信号またはユーザーが検出できる他の任意のタイプの適当な信号を挙げることができる。
【００４６】
マイクロプロセッサの１つの機能はユーザーのインクリメントなカロリー摂取量および真のカロリー摂取量とターゲットカロリー摂取量とを比較することである。例えば図９Ｆに示されている「エネルギーバランスグラフ」モードは、関連するディスプレイデバイス、例えばデータスクリーン８０６に、１日のうちの累積的なエネルギーバランスとターゲットエネルギーバランスとの間の数学的関係を視覚的に表示できるモードのことである。
【００４７】
１日のうちの真のエネルギーバランスパラメータに到達するか、またはこれを超えたことを最初にデバイス８００が検出したとき、デバイス８００は可聴アラームを鳴らすか、または他の適当な通知手段により、例えば無音振動モードを使用することにより、知らせることができる。デバイス８００は食品中のカロリー数によって真の１日のうちのエネルギーバランスが所定のパラメータを超えるような、ユーザーが消費すべき食品をユーザーが入力すると、いつも無音または可聴のアラームをトリガーすることもできる。このように、デバイス８００は所定の食品の摂取によってユーザーが１日のうちの目標とするエネルギーバランスを超える場合に、あらかじめユーザーに警告できるので、デバイス８００は検出可能な摂食を促進できる。
【００４８】
一実施例では、デバイス９００の頂部（小型のＰＤＡの表面のように見える部分）は、データ、例えばエネルギー支出量を計算するのに必要とされる体重、身長、年齢および性別を入力するためのユーザー入力インターフェース、例えば１つ以上のデータ入力ボタン８０４を含むことができる。かかるデータは上記通信リンクのうちのいずれかを介し、デバイス８００にロードすることもできる。別の実施例では、デバイス８００は（本明細書の前に記載した方法の一部を含む方法により）消費される食品のタイプおよび量を入力するためのユーザー入力インターフェース、例えば追加データ入力ボタンも含むことができる。このデバイス８００は軽量小型で着用が快適なものにすることができ、更に別の時計を付けなくてもよいように、一日の時刻を表示できる。
【００４９】
図９Ａ〜９Ｈは本発明の一実施例に係わる別のデバイスおよび関連方法を示す。図９Ａは図８（Ａ）および８（Ｂ）に示されたデバイスに類似した、例えば手首巻き付けタイプの着用可能なデバイス９００のような装置を示す。図９Ｂ〜９Ｈは図９Ａに示されたデバイス９００の、以下に更に説明する種々の特徴および関連する機能を示す。
【００５０】
図１１〜１５は、本発明の一実施例に係わるリモートホームパソコン（ＰＣ）ユーザーの入力ディスプレイのためのスクリーン写真の例を示す。特に図１１、１２、１３、１４および１５は、カロリー消費量および関連するエネルギーバランスの日々の概要のためのスクリーン写真の例を示す。これら表示は、その期間にわたって消費された食品の相対的栄養含有量をユーザーに示すこともできる。更に、ホームＰＣスクリーンディスプレイのためのこれらスクリーン写真は、消費者の摂食習癖を消費者が調節するのに役立てるためのバックグラウンド情報を提供できる。図１３は、消費された食品すべての相対的栄養物の含有量のより詳細な分析をディスプレイするスクリーン写真の一例を示す。これら図について、以下、より詳細に説明する。
【００５１】
図９Ａ〜９Ｈを参照する。これら図に示されたデバイス９００は、図示されたインターフェースに関連する種々の特徴を有することができる。図９Ａに示されるように、デバイス９００の頂部はユーザー入力インターフェース、例えば集団でユーザー入力を構成するか、またはユーザー入力を受けることができる３つの制御ボタン（１、２、３）９０２、９０４、９０６を特徴とする。ボタン（１）９０２は、関連するディスプレイスクリーン９１０にディスプレイされたメニュー内で下方または右側にスクロールするのに使用できる。一実施例では、ボタン（１）９０２は、ディスプレイスクリーン９０８での問いに対してユーザーが「ｎｏ」表示をするのに使用できる。ボタン（２）９０４は、関連するマイクロプロセッサを、エネルギーバランスデバイス９００の動作に関連する種々のパラメータをセットできる（図９Ｃ〜９Ｈに示されるような）モードにしたり、このモードを解除するのに使用できる。ボタン（２）９０４は、種々の機能、例えば図９Ｄに示されている機能を駆動するのにも使用できる。ボタン（３）９０６は、関連するディスプレイスクリーン９０８にディスプレイされるメニュー内で、上方向または左方向にスクロールするのに使用できる。一実施例では、ボタン（３）９０６はディスプレイスクリーン９０８での問いに対してユーザーが「ｙｅｓ」表示をするのに使用できる。
【００５２】
図９Ｂにはデバイス９００の底面図が示されている。図８（Ａ）および８（Ｂ）に示されたデバイスと同じように、デバイス９００はＰＤＡ／コンピュータポート９１０と、体温センサ９１２と、心拍率センサ９１４とを含むことができる。デバイス９００は腕または手首ストラップ９１６を介して着用でき、８１０、８１２に対応する体温センサ９１２、９１４は、ユーザーのエネルギー摂取量に関連する入力を決定できる。本発明の別の実施例では、これよりも少ないか、または多い体温センサを使用できる。必要であれば、デバイス９００は図８（Ａ）および８（Ｂ）に示されたポート８０８に類似するＰＤＡ／コンピュータポート９０１を介してリモートコンピュータ、ＰＤＡまたは他のプロセッサをベースとするプラットフォームと通信できる。
【００５３】
図９Ａおよび９Ｂに示されたデバイス９００は、１つ以上のエネルギーバランスに関連した機能、例えば、カロリー摂取を計算する機能に限定されず、カロリー消費量を計算する機能、１日のうちのエネルギーバランスを連続的に分析する機能、および現在のカロリー消費量および将来のカロリー支出を推定することによって得られる予想されるエネルギーバランスをシュミレートする機能を決定するための、関連するソフトウェアまたはプログラムを備えたマイクロプロセッサを含むことができる。
【００５４】
デバイス９００はメニューボタン、例えば図９Ｂに示されたボタン（２）９０４を使ってアクセスし、切り替えできるいくつかのモードも特徴とする。一実施例では、図９Ｃに示されたデバイス９００によって連続モニタモードを選択し、出力できる。この特定のモードでは、デバイス９００はインディケータ、例えば特定のユーザー、例えばデバイス９００のユーザーに対するエネルギーバランスの連続モニタを示す数値表示をディスプレイできる。例えば特定のユーザーに対し、特定の時間９２０、例えば午前９：００にディスプレイスクリーン９０８に数値表示９１８、例えば「−２０３ＣＡＬ」を出力できる。このようにユーザーは数値表示または他の表示を見ることができ、自分のエネルギーバランスが特定の時間に特定のレンジまたは数字にあるか、もしくはその近くにあるかどうかを判断できる。
【００５５】
一実施例では、デバイス９００は多数のモードのうちの少なくとも１つを選択するための入力モードメニュー９２２をディスプレイできる。図９Ｄに示されるように、入力モードメニュー９２２はディスプレイスクリーン９０８に示された各モードに対してそれぞれのディスプレイボックス９２４、９２６、９２８、９３０、９３２、９３４、９３６をユーザーに提供できる。ユーザーは入力モードメニュー９２２をナビゲートするのにボタン９０２、９０４、９０６を利用し、所望するディスプレイボックス９２４、９２６、９２８、９３０、９３２、９３４、９３６を選択できる。各ディスプレイボックス９２４、９２６、９２８、９３０、９３２、９３４、９３６はテキスト、数字、アイコンまたはそれらの組み合わせを含むことができるので、ユーザーは図示されているディスプレイボックス９２４、９２６、９２８、９３０、９３２、９３４、９３６をナビゲートし、所望するディスプレイボックス９２４、９２６、９２８、９３０、９３２、９３４、９３６を選択できる。単なる例として、ディスプレイボックス９２４は、心拍数センサ９１４に関連するか、または他の方法で取り込まれたデータをディスプレイするための「心拍数モニタ」モードに対応している。この特定のディスプレイボックス９２４は心臓および心拍数ラインを有するアイコンを含むことができる。その他のディスプレイボックスはそれぞれのモード、機能または特徴に対応するその他の表示を含むことができる。ディスプレイボックス９２６は、ＰＤＡ／コンピュータポート９１０を介し、デバイス９００と別のプロセッサに基づくプラットフォーム、例えばＰＤＡまたはコンピュータとの間でデータを同期化し、および／または更新するための同期化モードに対応する。別のディスプレイボックス９２８は、１つ以上の時間に関連した関数、例えばクロック、ストップウォッチ、タイマーおよび／またはアラーム（目覚まし）を提供するクロックモードに対応する。本発明の別の実施例によれば、他の適当な、時間に関連した関数も提供できる。更に、ディスプレイボックス９３０は種々の関数、例えばアラーム、警告、レンジの警告または時間タイマーのための所望する表示のユーザー選択を行うための「アラームサウンド／トーン」モードに対応する。ディスプレイボックス９３２はエネルギーバランスに関連したデータを見るためのあるタイプのグラフィックユーザーインターフェースを変更し、および／または選択するための「エネルギーバランスグラフ」モードを提供する。次に、ディスプレイボックス９３４はエネルギーバランス計算に関連したモニタ時間のための入力を提供するための「開始／終了モニタ」モードを提供する。ディスプレイボックス９３６は特定の時間および／または個人のための食品情報を選択するための「食品入力メニュー」モードを提供するものであり、これについては後により詳細に説明する。
【００５６】
上記ディスプレイボックス９２４、９２６、９２８、９３０、９３２、９３４、９３６に関連したモードおよび／または関数の一部またはすべてを使ってユーザーは食品入力、グラフィックディスプレイオプション、時間に関連したデータおよびエネルギーバランスモニタ方法のためのアラームに関連したデータに対する種々の選択を入力できる。以下、エネルギーバランスモニタ方法の一例およびかかる例に関連したそれぞれのモードおよび／または関数について以下説明する。
【００５７】
例として、ユーザーにより、まず「食品入力」モードを選択でき、図９Ｅに示されるように、デバイス９００により「食品入力」スクリーンを発生し、出力できる。この特定のモードでは、デバイス９００はユーザーが食べたい食品に関連した詳細な情報を入力するための詳細な食品入力メニュー９３８をディスプレイできる。液晶ディスプレイユニットとすることができるディスプレイスクリーン９１０にディスプレイされる一連のディスプレイボックス９４０、９４２、９４４、９４６または食品リストから特定の食品を選択または他の方法で指定できるように、食品情報を入力できる。ディスプレイされた食品リストでは、摂取カロリーのタイプおよび／または量により１つ以上のそれぞれの食品を示す一連のディスプレイボックス９４０、９４２、９４４、９４６を分類できる。入力すべき食品に関する情報は、食品のタイプ（食品のグループ、例えば肉、果物、パン、野菜および脂肪のタイプ、例えば脂身、赤身）、量（詳細な、または一般的な定量的な測定値、例えば小、中、大）および食品の調製手段（例えばフライ、ボイル、ブロイル、ベイクなど）を含むことができる。デバイス９００はユーザーから選択された食品情報の一部またはすべてからエネルギー摂取に関連する入力を決定または他の方法で誘導できる。このように、ユーザーはかかる食品を含む食事をする前に食べることができる１つ以上の特定の食品を選択できる。デバイス９００はユーザーに関連したエネルギー摂取に関連する入力を判断するための選択された食品情報を利用できる。本発明の実施例によれば、エネルギーバランス関数または他の関数で入力を利用できる。
【００５８】
上記例を続けると、図９Ｆに示されるように、ディスプレイスクリーン９０８上でエネルギーバランスグラフを見ることができるように、エネルギーバランスグラフモードを選択できる。このモードでは、デバイス９００はエネルギーバランスグラフ９４８および特定の時間の間のエネルギーバランス関数を表示する表示、例えば数値表示９５０を出力できる。例として、図示されているエネルギーバランスグラフ９４８は時間に対するエネルギーバランス関数のグラフプロットであり、図示されている数値表示９５０は特定時間におけるエネルギーバランス関数を示す、対応するグラフプロットポイント、例えば「２３６カロリー」である。別の実施例では、ユーザーはエネルギーバランスに関連したデータを見るための特定のタイプのグラフィックユーザーインターフェースを変更および／または選択することができる。例えばディスプレイデバイス９０８に対し、エネルギーバランス関数または適当なエネルギーバランスに関連したデータの他のタイプのグラフまたは表示を出力できる。
【００５９】
上記例を続けると、図９Ｇに示されるように、ディスプレイスクリーン９０８上で１つ以上の時間に関連した関数、例えばクロック、ストップウォッチ、タイマーおよび／またはアラーム（目覚まし）を見るためにクロックモードを選択できる。この特定のモードでは、デバイス９００はエネルギーバランスをモニタするための特定の時間に関連するデータを選択するための、および／またはエネルギーバランス関数もしくは同様なタイプの関数を決定するための、クロックメニュー９５２を出力できる。例として、図示されているクロックメニュー９５２は時間に関連したオプションのリスト、例えばクロック、ストップウォッチ、タイマーおよびアラームを含む。ストップウォッチオプション９５４の選択により、ユーザーがモニタする時間を変更またはその他の方法で入力できるようにするよう、ストップウォッチタイプのフォーマット９５６、例えば時間フォーマット表示「００.００.００」をディスプレイスクリーン９０８に出力させることができる。更に、アラームオプション９５８を選択すると、ユーザーがアラームのための時間を変更または他の方法で入力できるようにするため、アラームタイプのフォーマット９６０、例えば「００:００ａｍ」をディスプレイスクリーン９０８に出力することができる。
【００６０】
上記例を続けると、図９Ｈに示されるように、ディスプレイスクリーン９０８に種々の関数、例えばアラーム、警告、レンジアラートまたは時間のための所望する表示をユーザー選択するために、「アラームサウンド／トーン」モードを選択できる。この特定のモードでは、デバイス９００はエネルギーバランスのためのアラームを提供するための、および／またはエネルギーバランス関数もしくは同様なタイプの関数のためのアラームを提供するための特定のアラームに関連したデータを選択するためのアラームメニュー９６２を出力できる。例として、図示されているアラームメニュー９６２は、アラームに関連したオプションのリスト、「カロリー不足」および「カロリー過剰」を含む。「カロリー不足」オプション９６４を選択すると、ユーザーが特定のカロリー不足に関連するアラームを選択したり、または設定できるようにアラームタイプのフォーマット９６６に対する問い、例えば問い表示「ｙｅｓ／ｎｏ」をディスプレイスクリーン９０８に出力できる。更に、「カロリー過剰」オプション９６８を選択すると、ユーザーが特定のカロリー過剰に関連するアラームを選択または設定できるように、アラームタイプのフォーマット９７０に対する問い、例えば「ｙｅｓ／ｎｏ」をディスプレイスクリーン９０８に出力させることができる。いずれか一方の場合、または双方の場合において、特定の「カロリー不足」および／または「カロリー過剰」に対し、あるタイプのアラーム、例えば特定の可聴トーンまたは触覚トーンを設定できる。上記のモードおよび／または関数の一部またはすべてをエネルギーバランスモニタ方法で使用することができ、本発明の別の実施例によれば、エネルギーバランスモニタ方法で別のモードおよび／または関数を実現することができる。別のエネルギーバランス方法の例は次のとおりである。
【００６１】
図１０Ａ〜１０Ｅは、ユーザーが食品アイテム、例えばドーナツを消費したい例、およびユーザーの現在のエネルギーバランスがドーナツからのカロリーに適合できるかどうかをデバイス、例えば１０００が判断する方法を示す。この特定の方法は、単独で、または上記エネルギーバランスモニタ方法中、またはこの方法と共に実現できる。次のモードおよび／または特徴の一部またはすべては下記のプロセスで実現でき、説明した方法により、別のモードおよび／または特徴を実現することもできる。
【００６２】
図１０Ａではデバイス１０００のような装置はディスプレイスクリーン１００２および１つ以上のデータ入力ボタン１００４、１００６、１００８を含む。ボタン１００４、１００６、１００８の各々はユーザー、例えばデバイス１０００の着用者からの選択命令を送信または他の方法で促進できる。本例では、中心に位置するボタン１００６がユーザーからの入力命令を送信でき、隣接するボタン１００４、１００８がユーザーからの移動またはナビゲーション命令を送信できる。
【００６３】
図１０Ｂではディスプレイスクリーン１００２は出力、例えば図９Ｄに示され、これに関連して説明したメニュー９２２に類似する入力モード１０１０のような出力を含む。ユーザーは隣接するボタン１００４、１００８の一方または双方を操作し、入力モードメニュー１０１０内をナビゲートし、所望するディスプレイボックス、例えば対応する食品入力メニューモードを示す食品のタイプのアイコンを有するディスプレイボックス１０１２に達することができる。ユーザーが所望するディスプレイボックスに到達すると、ディスプレイボックス１０１２をハイライト表示でき、ユーザーは中心に位置するボタン１００６を通して実行命令を送信し、ディスプレイボックス１０１２のユーザー選択を指定できる。
【００６４】
図１０Ｃでは、ディスプレイスクリーン１００２は図９Ｅに示されたメニュー９３８に類似する詳細な食品入力メニュー１０１４を出力できる。ユーザーは隣接するボタン１００４、１００８の一方または双方を操作し、メニュー１０１４内をナビゲートし、所望するディスプレイボックス、例えば対応する食品タイプを表示するテキスト「パン」を有するディスプレイボックス１０１６に到達できる。ユーザーが所望するディスプレイボックスに到達すると、ディスプレイボックス１０１６をハイライト表示でき、次にユーザーは中央に位置するボックス１００６を通して実行コマンドを送信し、ディスプレイボックス１０１６のユーザー選択を指定できる。
【００６５】
図１０Ｄにおいて、ディスプレイスクリーン１００２は図９Ｅで説明したい別のメニューに類似する別の詳細な食品入力メニュー１０１８を出力できる。ユーザーは隣接するボタン１００４、１００８の一方または双方を操作し、メニュー１０１８内をナビゲートし、所望するディスプレイボックス、例えば別の対応する食品のタイプを表示するテキスト「ドーナツ」を有するディスプレイボックス１０２０に到達する。ユーザーが所望するディスプレイボックスに到達すると、ディスプレイボックス１０２０をハイライト表示し、ユーザーは中心に位置するボタン１００６を介して実行コマンドを送信し、ディスプレイボックス１０２０のユーザー選択を指定できる。
【００６６】
図１０Ｅでは、ディスプレイスクリーン１００２は１つ以上の限界、アラームおよび／または時間に関連したデータに関係する情報を出力できる。図示された例では、デバイス１０００は図１０Ａ〜１０Ｄから入力されたユーザーデータに関連する食品情報を利用し、エネルギーバランス関数のためのエネルギー入力、例えば選択された食品アイテムに関連するカロリー摂取量を決定できる。デバイス１０００は次にエネルギーバランス関数を決定し、更にエネルギー入力がエネルギーバランス関数に対して設定された限界を超えるかどうかを判断できる。デバイス１０００はその結果に応じ、メッセージを出力するか、またはディスプレイスクリーン１００２へ出力される１つ以上の情報メッセージ１０２２、１０２４、１０２６、１０２８によりユーザーを促すことができる。本例では、デバイス１０００はドーナツのカロリーが特定のエネルギーバランス関数に対して設定されたカロリー限度を超えると判断できる。デバイス１０００はスクリーン１００２を介し、ユーザーに警告するためのメッセージ１０２２、例えば「警告、ドーナツはカロリー制限を超える」を出力できる。所定の時間の後、またはユーザーの確認時、例えば中央に位置するボタン１００６を介して実行命令が送信されたときに、デバイス１０００はディスプレイスクリーン１００２への別のメッセージ１０２４、例えば「食べ続けるか？」でユーザーを促すことができる。ユーザーは１つ以上のボタン１００４、１００６、１００８を介して応答を実行することにより、例えば「ｙｅｓ」命令を実行することにより応答できる。更に別の情報を入力することをユーザーに促すために、別のメッセージ１０２６、例えば「量をサジェストするか？」を出力できる。ユーザーはボタン１００４、１００６、１００８のうちの１つ以上により応答を実行することにより、例えば「ｙｅｓ」命令を実行することにより応答できる。次にデバイス１０００はユーザーが食べることができ、特定のエネルギーバランスに対して設定された限界内に留まることができる特定の食品、例えばドーナツの量を決定できる。デバイスが量を決定すると、デバイス１０００はディスプレイスクリーン１００２に対応するメッセージ１０２８、例えば「半分のドーナツを食べることはＯＫ」記号を出力できる。このように、ユーザーは本発明の一実施例に係わるデバイス１０００を利用し、食事の前に計画したカロリー摂取量を入力し、かつカロリー摂取量が関連するエネルギーバランス関数に対して設定された限界を超えるかどうかを判断することができる。
【００６７】
別の実施例では、図９Ａおよび９Ｂに示されたデバイス９００は、バッテリーを充電でき、更にローカルコンピュータ、例えば家庭のＰＣと通信できるドッキングステーションを含むことができる。ドッキングステーションに挿入されているとき、デバイス９００は別の分析をするよう、収集した情報をダウンロードし、１日におけるエネルギーバランス偏差の（図７に示されているものに類似する）プリントアウトを出力できる。臨床用で使用されるようになっているデバイス９００は、食品の栄養分析を可能にするための情報をダウンロードするためのオプションも含むことができる。
【００６８】
ドッキングステーションにリンクされたコンピュータは栄養摂取分析のための関連する栄養データベースおよび完全な栄養摂取分析を可能にするよう、ソフトウェア内に記憶された食品コードをマッチングするために着用している間、デバイス９００に入力された対応する食品コードを含むことができる。ソフトウェアは特に、設定された、またはあらかじめ定めた限度または限界を超えるエネルギー過剰または不足時に費やされる時間数、およびエネルギー過剰および不足に関連する最大の、またはその他の所定の量、もしくは傾向を分析し、決定できる。ソフトウェアは異なる日または分析の他の期間からの過剰量および不足量を比較し、異なる分析から体重変化（および幼児である場合には身長の変化）のログを作成できる。このソフトウェアは（将来の食事計画のために）エネルギー支出の最大量または他の量もしくは傾向と共に、１日のうちのある時間または他の時刻の記述、（将来の活動の計画のために）最低のエネルギー支出と共に、１日のうちの時間の記述および推奨レベルを下回る栄養を摂取するために、どの食品を消費するかの推奨と共に、ビタミンおよびミネラルの摂取量と推奨されるダイエット許容値とを比較する完全な栄養摂取分析の記述も作成できる。
【００６９】
作動：一般的な集団のためのオプション
一般的な集団のための本発明の所定の実施例のデバイス、システムおよび方法では、相対的な食事の量および脂肪含有量を簡単にプッシュボタンで記述することによりエネルギー摂取量（食品消費量）を推定できる。この例の方法にある根拠は、タンパク質と炭水化物とはカロリー密度が同じ（グラム当たり４カロリー）であるが、一方、脂肪はカロリー密度がそれよりも高い（グラム当たり９カロリー）ことにある。相対的な脂肪の含有量および消費量により食品を識別することにより、食事の概略的なカロリー負荷を推定することが可能である。更にこの例の方法は比較的迅速であり、かつかなり直感的であり、訓練をほとんど必要としない。
【００７０】
このようなより基本的なバージョンを使用する被験者（ｓｕｂｊｅｃｔ）は、自分の腕に本発明の一実施例に係わるデバイスを身に付け、デバイスに組み込まれた比較的基本的な較正／質補償ルーチンに従うことができる。デバイスはエネルギー支出量の記録をすぐに開始することができ、その情報を１５分単位で記憶できる。被験者が朝食をとろうとするとき、被験者は消費すべき食品の相対的脂肪含有量を入力し、設定されたエネルギー限度または所定の限界（すなわちパーフェクトなエネルギーバランスからの偏差（例えば±３００または４００カロリー）を維持するのに量が適当であるかどうかの所定のガイダンスを与える機会をデバイスに与えることができる。表示された量の選択された食品が適当であるとデバイスが表示すれば、デバイスは「食べてよい」信号を発生できる。食品が一旦消費されると、ユーザーは食品の量および相対的な脂肪量を調節し、消費された食品の実際の量を正確に記録するための機会を有することができる。早朝から正午までの間でまたは別の特定の時間の前後において、過度のエネルギー不足状態になることを防止するために少量のスナックを食べる時間となったことをユーザーに知らせるためのアラームをデバイスがトリガーするようにできる。一実施例では、消費される食品を記録し、このモデルからフィードバックするこのような手順は所定の時間の間に、例えば２４時間の間で繰り返すことができる。２４時間または他の適当な所望するか、または所定の時間の終了時において、ユーザーは前日からの情報をダウンロードするためにコンピュータと通信するレセプタクル内にこのモデルを（任意で）挿入できる。デバイスと相互に作動するコンピュータ内のコンピュータソフトウェアは、１日の間に生じたエネルギーの過剰および不足のグラフィックディスプレイおよびプリントアウトを提供できる。
【００７１】
公衆の健康、フィットネス愛好家および体重削減プログラム参加者のための作動のオプション
公衆の健康、フィットネスまたは体重削減を目的とする本発明の他の実施例のデバイス、システムおよび方法では、個々のユーザーが一般に消費する食品または体重削減プログラムが推奨する食品の、あらかじめ入力された食品リストによりエネルギー摂取量（食品消費量）を推定できる。このリストは、食品のカロリー含有量のためのＵＳＤＡデータベースからの情報を含むこともできる。
【００７２】
標準値からの偏差値を得るために別の食品リストを利用でき、ユーザーは食品ラベルからの情報を入力することにより食品リストおよびそれらのカロリー含有量を更新するオプションを有することができる。食品の入力を比較的容易かつスピーディに行うために、プリセットされたボタンによる解析を行うよう、ほとんどの食品を入力できる。
【００７３】
これら種類のデバイスを使用する被験者は、自分の腕にデバイスを取り付け、デバイスに組み込まれた基本的な較正／質補償ルーチンに従うことができる。このデバイスはエネルギー支出量の記録を即座に開始し、１５分単位でその情報を記憶できる。被験者が朝食をとろうとするとき、被験者はデバイスに記憶された食品のデータベースから消費すべき食品および量を選択できる。デバイスは消費すべきカロリー量が設定されたエネルギー限度またはその他の所定の限界（すなわちパーフェクトなエネルギーバランスからの偏差（例えば±３００または４００カロリー）を維持するのに適当であるかどうかのガイドを提供できる。表示された量の選択された食品が適当である旨をデバイスが表示した場合、デバイスは「食べてよい」信号を発生できる。一旦食品が消費されると、被験者は消費する食品の実際のタイプおよび量を調節する機会を有することができる。１日の間に過度のエネルギーの不足状態にならないよう、少量のスナックを食べる時間となったことを被験者に知らせるためのアラームをデバイスがトリガーするようにできる。一実施例では、消費される食品を記録し、デバイスからフィードバックする手順を所定の時間の間に、例えば２４時間の間に繰り返すことができる。本デバイスは本発明の種々の実施例に係わるその他のデバイス、システムまたは方法が行えるのと同じように、他のコンピュータ、ウェブサイトまたはその他のプラットフォームもしくは機能と通信できる。
【００７４】
研究および臨床設定（ｃｌｉｎｉｃａｌ  ｓｅｔｔｉｎｇ）のための作動のオプション
研究および臨床設定を目的とする本発明の別の実施例に係わるデバイス、システムおよび方法では、食品の量および調製タイプに対して調節するための多数のオプションと共に、内蔵された包括的なコンピュータ化された食品リストを通して、エネルギー摂取量（食品消費量）を推定できる。これら食品リストは食品のカロリー含有量に関するＵＳＤＡデータベースからの情報を含むことができ、更に栄養（すなわちビタミンおよびミネラル）の分析を可能にするよう、これら食品に関連する栄養物の包括的なリストからの情報も含むことができる。
【００７５】
標準値からの偏差値（例えばアジアの食品など）を得るための別の食品リストも利用でき、ユーザーは食品ラベルに関する情報を入力することにより、食品リストおよびそれらのカロリー、栄養含有量を更新するオプションを有することができる。消費量に関して、特定の調節をしながら、リストからの食品選択を可能にするＰＤＡのようなインターフェースを通して、分析のために所定の食品を入力することが可能である。
【００７６】
このデバイスを使用する被験者は、自分の腕にデバイスを取り付け、デバイスに組み込まれた基本的な較正／質補償ルーチンに従うことができる。このデバイスはエネルギー支出量の記録を即座に開始し、１分単位でその情報を記憶できる。被験者が朝食をとろうとするとき、被験者はデバイスに記憶された食品のデータベースから消費すべき食品および量を選択できる。デバイスは消費すべきカロリー量が設定されたエネルギー限度またはその他の所定の限界（すなわちパーフェクトなエネルギーバランスからの偏差（例えば±３００または４００カロリー）を維持するのに適当であるかどうかのガイドを提供できる。入力された食品は、デバイスに組み込まれた食品の包括的データベースから選択できる。表示された量の選択された食品が適当である旨をデバイスが表示した場合、デバイスは「食べてよい」信号を発生できる。一旦食品が消費されると、被験者は消費する食品の実際のタイプおよび量を調節する機会を有することができる。１日の間に過度のエネルギーの不足状態にならないよう、少量のスナックを食べる時間となったことを被験者に知らせるためのアラームをデバイスがトリガーするようにできる。一実施例では、消費された食品を記録し、デバイスからフィードバックするこの手順はそれ自身２４時間の間繰り返すことができる。本デバイスは本発明の種々の実施例に係わるその他のデバイス、システムまたはプロセスが行えるのと同じように、他のコンピュータ、ウェブサイトまたはその他のプラットフォームもしくは機能と通信できる。かかるプラットフォーム上のソフトウェアは１日の間に生じたエネルギーの過剰および不足のグラフィックディスプレイおよびプリントアウトを行うことができる。更にこの特定の変形例では、デバイスはモデル内の食品コードとコンピュータ内の包括的なデータベース内の食品コードとをリンクさせ、マクロおよびミクロの栄養摂取量の深い分析を被験者に提供し、その摂取量と推奨摂取量を比較することができ、不適性な栄養を補正するために食品摂取奨量を提供できる。
【００７７】
図１１および１２は、本発明の一実施例に係わるリモートホームパソコン（ＰＣ）のユーザー入力ディスプレイのためのスクリーン写真の例を示す。図示されているスクリーン写真例は、本発明の一実施例に係わるデバイスと関連するプロセッサによって出力できる。図示されている情報は単なる例であり、本発明の別の実施例に係わるデバイス、システムおよび方法によって他のエネルギーバランスに関連する情報を出力または他の方法でディスプレイできる。例えば図１１に示されたスクリーン写真１１００は、特定のユーザーに関連したエネルギーバランス情報を示す。ライン１１０２は、年齢、体重、身長および休息エネルギー支出量（ＲＥＥ）を含む（これらに限定されない）ユーザーの身体的特性に関連する情報を提供でき、ライン１１０４は、カロリー分布、タンパク質成分、脂肪成分、炭水化物成分、総Ｋｃａｌ、日中の活動のためのＫｃａｌ条件、夜の休息のためのＫｃａｌ条件および総Ｋｃａｌを含む（これらに限定されない）エネルギー摂取量に関連する情報を提供できる。ライン１１０６は、活動の記述、開始時間、終了時間、および各活動および時間の組に関連するエネルギーバランス計算を含む（これらに限定されない）ユーザーに関連した１日の活動ルーチンに関連する情報を提供できる。ライン１１０８は、予想条件と比較した総エネルギー摂取量に関連する情報、例えば「あなたの総エネルギー摂取量は予想された条件の１０２％です」を提供できる。ライン１１１０は、ダイエット方針のためのバックグラウンドに関連した情報を提供できる。ライン１１１２は、特定ユーザーのためのエネルギー過剰期間および推奨値に関連する情報を提供でき、図１２のライン１１１４は、特定ユーザーのためのエネルギー不足期間および追加推奨値に関連する情報を提供でき、このように、これらスクリーン写真で提供される情報はユーザーが自分の摂食習癖を調節するのを助けることができる。
【００７８】
図１３、１４、１５および１６は、カロリー消費量および関連するエネルギーバランスの日々の要約のためのスクリーン写真の例を示す。これら表示は、特定機関の間消費された食品の相対的栄養含有量をユーザーに示すことができる。図示されているスクリーン写真例は本発明の一実施例に係わるデバイスに関連するプロセッサによって出力できる。図示されている情報は一例であり、本発明の別の実施例に係わるデバイス、システムおよび方法により、別のエネルギーバランスに関連した情報を出力または他の方法でディスプレイすることができる。
【００７９】
図１３は、特定時刻における特定ユーザーが消費した食品の一部またはすべての相対的栄養含有量のより詳細な分析を示すスクリーン写真例である。例えば図１３に示されたスクリーン写真１３００は、特定の食品または食品の組に関連した詳細な栄養情報を示す。ライン１３０２は、年齢、分析日、分析食品、現在の体重を維持するのに必要な推定カロリーおよび推定理想体重を含む（しかしながらこれらに限定されない）特定のユーザーに関連する情報を提供できる。コラム１３０４は、水、エネルギー（Ｋｃａｌ）、エネルギー（ＫＪ）、タンパク質、炭水化物、総脂質、飽和脂肪、モノ飽和脂肪、ポリ不飽和脂肪、コレステロール、クルードファイバー（ｃｒｕｄｅ  ｆｉｂｅｒ）、ダイエットファイバー、灰、カルシウム、リン、マグネシウム、鉄、亜鉛、銅、マンガン、ナトリウム、カリウム、ビタミンＡ（ＩＵ）、ビタミンＡ（ＲＥ）、αトコフェロール、総トコフェロール、チアミン、リボフラビン、ナイアシン、ビタミンＢ−６、ビタミンＢ−１２、フォルアシン、ビタミンＣ、パントテン酸塩、アルコール、カフェインおよび無栄養物を含むが、これらに限定されない特定の成分または栄養に関連する情報を提供できる。ライン１３０６は、実際の数値測定量、推奨量、ゼロより大かゼロに等しいパーセントの差およびパーセントの差のグラフィックディスプレイを含むことができるが、これらだけに限定されるものではない。ライン１３０８は、栄養グループ、例えばタンパク質、炭水化物、脂肪の実際および所望されるパーセント寄与ブレークダウン、および関連する比を含むことができるが、これらに限定されるものではない。
【００８０】
図１４、１５および１６は、図１３に示される特定の時間に特定のユーザーによって消費された食品の一部またはすべての相対的栄養含有量の詳細な分析に関連する推奨値の例を示す。かかる推奨値は特定の栄養、成分、栄養グループ、比（ｒａｔｉｏ）またはエネルギーバランス決定値もしくは計算に関係する他の任意のデータに関するものとすることができる。
【００８１】
図１７は、本発明の一実施例にかかわる別のデバイスを示す。図示されたデバイス１７００は人に関連したエネルギーバランス偏差をモニタするようになっており、人が着用するか、または人が携帯できるようになっている。デバイス１７００は入力部品１７０２およびプロセッサ１７０４を含むことができる。この入力部品１７０２は、人のエネルギー支出量に関連した少なくとも１つの入力を受け、人のエネルギー摂取量に関連した入力を受信できるようになっている。プロセッサ１７０４は、ある時間にわたるエネルギー支出量およびエネルギー摂取量に一部基づき、エネルギーバランス機能を計算し、前記エネルギーバランス関数が超えないようにすべき少なくとも１つの限界を指定し、前記エネルギーバランス関数および前記少なくとも１つの限界に対応する情報をディスプレイするようにできる。
【００８２】
一実施例では、衣服の着用可能な物品、例えばスポーツシャツ、シャツ、パンツ、ショーツ、帽子、メガネまたはその他の適当な物品に本デバイスを組み込むことができる。一実施例は、本明細書に説明した方法の一部またはすべてを実現しながら、運動家がトレーニングやスポーツを行ったり他の活動に参加するのに切ることができるスポーツシャツを含む。
【００８３】
図１８は、本発明の一実施例にかかわるデバイス、システムおよび方法によって実現できる方法１８００を示す。この方法１８００は、個人に関連したエネルギーバランス偏差を自動的に決定するようになっている。
【００８４】
この方法１８００はブロック１８０２でスタートし、ブロック１８０２において、人が身につけることができる装置が提供される。図１８に示された例では、この装置は個人のエネルギー支出量、エネルギー摂取量に関連する情報を受信し、エネルギーバランス情報をディスプレイできる。
【００８５】
一実施例では、個人のエネルギー支出量に関連する少なくとも１つの入力を受信することは、基礎エネルギー支出量および仕事に関連したエネルギー仕事を決定することを含むことができる。別の実施例では、基礎エネルギー支出量は個人の性別、体重および年齢のうちの少なくとも１つに、少なくとも一部が基づくようにできる。別の実施例では、仕事に関連したエネルギー支出量は個人の体温、心拍数および動き速度のうちの少なくとも１つに、少なくとも部分的に基づくことができる。
【００８６】
ブロック１８０２の次にブロック１８０４が続き、このブロックでは個人のエネルギー支出量に関連する少なくとも１つの入力が受信される。
【００８７】
一実施例では、個人のエネルギー支出量に関連する前記少なくとも１つの入力は、マニュアルで実行された入力および自動的に測定された入力のうちの少なくとも１つを含むことができる。別の実施例では、個人のエネルギー摂取量に関連した入力を受信することは、個人が消費した食品アイテムのマニュアル選択を含むことができる。別の実施例では、個人のエネルギー摂取量に関連した入力を受信することは、個人が消費した食品アイテムに対するカロリー値を決定することを含むことができる。
【００８８】
ブロック１８０４の次にブロック１８０６が続き、ブロック１８０６では、個人のエネルギー摂取量に関連する少なくとも１つの入力が受信される。
【００８９】
ブロック１８０６の次にブロック１８０８が続き、このブロック１８０８では、ある期間にわたるエネルギー支出量およびエネルギー摂取量に部分的に基づくエネルギーバランス関数が計算される。
【００９０】
一実施例では、ある期間にわたるエネルギー支出量およびエネルギー摂取に部分的に基づくエネルギーバランス関数の計算は瞬間的なエネルギーバランス関数を決定することを含むことができる。別の実施例では、ある期間にわたるエネルギー支出量およびエネルギー接種に部分的に基づくエネルギーバランス関数の計算は所定の時間におけるエネルギーバランス関数を決定することを含むことができる。更に別の実施例では、所定の時間は１分、１５分および６０分のうちの少なくとも１つを含むことができる。別の実施例では、ある期間にわたるエネルギー支出量およびエネルギー摂取量に部分的に基づき、エネルギーバランス関数を計算することは、個人に関連したエネルギー支出量とエネルギー摂取量との間の差を決定することができる。更に別の実施例では、所定期間にわたるエネルギー支出量およびエネルギー摂取量に部分的に基づき、エネルギーバランス関数を計算することは、個人に関連したエネルギー支出量とエネルギー摂取量との間の比を決定することを含むことができる。
【００９１】
ブロック１８０８の次にブロック１８１０が続き、ブロック１８１０では、前記エネルギーバランス関数と比較するための少なくとも１つの限界が指定される。
【００９２】
一実施例では、前記エネルギーバランス関数が超えないようにすべき少なくとも１つの限界を指定することは、１つの限界を指定すること、および２つの限界を指定することのうちの少なくとも１つを含むことができる。別の実施例では、前記エネルギーバランス関数が超えないようにすべき少なくとも１つの限界を指定することは、高い限界を指定すること、および低い限界を指定することのうちの少なくとも１つを含むことができる。更に別の実施例では、前記エネルギーバランス関数が超えないようにすべき少なくとも１つの限界を指定することは、少なくとも１つの限界をマニュアルで指定すること、および少なくとも１つの限界を自動的に指定することのうちの少なくとも１つを含むことができる。
【００９３】
ブロック１８１０の次にブロック１８１２が続き、ブロック１８１２では、前記エネルギーバランス関数および前記少なくとも１つの限界に対応する情報をディスプレイする。方法１８００はブロック１８１２で終了する。
【００９４】
本方法の別の実施例は、エネルギーバランス関数が前記少なくとも１つの限界を超えたことの通知を提供することを含むことができる。本発明の更に別の実施例は、前記エネルギーバランス関数を別のエネルギー摂取量が超えることの通知を提供することを含むことができる。更に別の方法は、エネルギーバランス関数情報に基づき、個人が更なるエネルギー摂取量を必要とする旨の通知を含むことができる。
【００９５】
更に別の実施例は、エネルギー摂取量、エネルギー支出量、エネルギーバランス関数および限界に関連する記憶された情報をリモートプラットフォームにロードすることを含むことができる。一実施例では、エネルギー摂取量、エネルギー支出量、エネルギーバランス関数および限界に関連する記憶情報をリモートプラットフォームにロードすることは、無線媒体を開始、リモートプラットフォームから情報を送信することを含む。別の実施例では、エネルギー摂取量、エネルギー支出量、エネルギーバランス関数および限界に関する記憶情報をリモートプラットフォームにロードすることは、物理接続部を介してリモートプラットフォームから情報を送信することを含む。
【００９６】
本方法の更に別の実施例は、個人のエネルギー支出量に関連する入力を可能にするようになっている少なくとも１つのボタンと、個人のエネルギー摂取量に関連する入力を可能にするようになっている少なくとも１つのボタンを含む。別の実施例では、前記装置は、個人のエネルギー支出量に関連する入力を可能にするようになっている少なくとも１つのボタンと、個人のエネルギー摂取量に関連する入力を可能にするようになっている少なくとも１つのボタンを含む。
【００９７】
上記説明は多くの特定の例を含むが、これら特定の例は本発明の範囲を制限するものと見なすべきではなく、単なる開示された実施例にすぎないと見なすべきである。当業者であれば、本発明の範囲内で種々の変形例を想到できよう。
【図面の簡単な説明】
【００９８】
【図１】米国における肥満傾向を示す。
【図２】米国における肥満症の統計学的概要を示す。
【図３】体重、年齢および性別に基づく休息時エネルギー支出量の予測を示す。
【図４】種々の活動に対するエネルギー支出量ファクターの推定値を示す。
【図５】活発な人およびそうでない人の推定エネルギー必要量をどのように計算するかを示す例である。
【図６】本発明の一実施例にかかわる方法を示す略図である。
【図７】１日のうちのエネルギーバランスに影響し得る摂食パターンの一例を示す。
【図８】（Ａ）および（Ｂ）は本発明の一実施例に係わる装置を示す。
【図９Ａ】本発明の一実施例に係わる装置、方法並びにこれら装置および方法のための種々の関連するスクリーンまたはグラフィック表示を示す。
【図９Ｂ】本発明の一実施例に係わる装置、方法並びにこれら装置および方法のための種々の関連するスクリーンまたはグラフィック表示を示す。
【図９Ｃ】本発明の一実施例に係わる装置、方法並びにこれら装置および方法のための種々の関連するスクリーンまたはグラフィック表示を示す。
【図９Ｄ】本発明の一実施例に係わる装置、方法並びにこれら装置および方法のための種々の関連するスクリーンまたはグラフィック表示を示す。
【図９Ｅ】本発明の一実施例に係わる装置、方法並びにこれら装置および方法のための種々の関連するスクリーンまたはグラフィック表示を示す。
【図９Ｆ】本発明の一実施例に係わる装置、方法並びにこれら装置および方法のための種々の関連するスクリーンまたはグラフィック表示を示す。
【図９Ｇ】本発明の一実施例に係わる装置、方法並びにこれら装置および方法のための種々の関連するスクリーンまたはグラフィック表示を示す。
【図９Ｈ】本発明の一実施例に係わる装置、方法並びにこれら装置および方法のための種々の関連するスクリーンまたはグラフィック表示を示す。
【図１０Ａ】本発明に係わる別の装置、方法並びにこれら装置および方法のための種々の関連するスクリーンまたはグラフィック表示を示す。
【図１０Ｂ】本発明に係わる別の装置、方法並びにこれら装置および方法のための種々の関連するスクリーンまたはグラフィック表示を示す。
【図１０Ｃ】本発明に係わる別の装置、方法並びにこれら装置および方法のための種々の関連するスクリーンまたはグラフィック表示を示す。
【図１０Ｄ】本発明に係わる別の装置、方法並びにこれら装置および方法のための種々の関連するスクリーンまたはグラフィック表示を示す。
【図１０Ｅ】本発明に係わる別の装置、方法並びにこれら装置および方法のための種々の関連するスクリーンまたはグラフィック表示を示す。
【図１１】本発明の実施例に係わる装置、システムおよび方法のためのプログラムコードを含むコンピュータで読み取り可能な媒体のための種々のスクリーン面のうちの１つを示す。
【図１２】本発明の実施例に係わる装置、システムおよび方法のためのプログラムコードを含むコンピュータで読み取り可能な媒体のための種々のスクリーン面のうちの１つを示す。
【図１３】本発明の実施例に係わる装置、システムおよび方法のためのプログラムコードを含むコンピュータで読み取り可能な媒体のための種々のスクリーン面のうちの１つを示す。
【図１４】本発明の実施例に係わる装置、システムおよび方法のためのプログラムコードを含むコンピュータで読み取り可能な媒体のための種々のスクリーン面のうちの１つを示す。
【図１５】本発明の実施例に係わる装置、システムおよび方法のためのプログラムコードを含むコンピュータで読み取り可能な媒体のための種々のスクリーン面のうちの１つを示す。
【図１６】本発明の実施例に係わる装置、システムおよび方法のためのプログラムコードを含むコンピュータで読み取り可能な媒体のための種々のスクリーン面のうちの１つを示す。
【図１７】本発明の一実施例に係わる別の装置を示す。
【図１８】本発明の一実施例に係わるデバイス、システムおよび装置によって実現できる方法を示す。
【図１】
2007501065.tif 000003
【図２】
2007501065.tif 000004
【図３】
2007501065.tif 000005
【図４】
2007501065.tif 000006
【図５】
2007501065.tif 000007
【図６】
2007501065.tif 000008
【図７】
2007501065.tif 000009
【図８】
2007501065.tif 000010
【図９Ａ】
2007501065.tif 000011
【図９Ｂ】
2007501065.tif 000012
【図９Ｃ】
2007501065.tif 000013
【図９Ｄ】
2007501065.tif 000014
【図９Ｅ】
2007501065.tif 000015
【図９Ｆ】
2007501065.tif 000016
【図９Ｇ】
2007501065.tif 000017
【図９Ｈ】
2007501065.tif 000018
【図１０Ａ】
2007501065.tif 000019
【図１０Ｂ】
2007501065.tif 000020
【図１０Ｃ】
2007501065.tif 000021
【図１０Ｄ】
2007501065.tif 000022
【図１０Ｅ】
2007501065.tif 000023
【図１１】
2007501065.tif 000024
【図１２】
2007501065.tif 000025
【図１３】
2007501065.tif 000026
【図１４】
2007501065.tif 000027
【図１５】
2007501065.tif 000028
【図１６】
2007501065.tif 000029
【図１７】
2007501065.tif 000030
【図１８】
2007501065.tif 000031
【国際調査報告】
2007501065.tif 000032
2007501065.tif 000033
2007501065.tif 000034